(57)【要約】【課題】  コンテンツの著作権を保護することができるとともに、利用者の負担が少ない方法で個人利用の範囲内においてコンテンツの複製を認めるようにする。【解決手段】  コンテンツデータを外部のデータ利用装置に送信する場合に、データ利用装置の属性を識別する属性識別情報７０、属性識別情報の属性有効期限７２、及び属性有効期限に応じた有効期間に乗算する１未満の初期乗数６２を含む属性情報３をコンテンツデータと共に送信し、外部のデータ利用装置から送信されたコンテンツデータ及び属性情報を受信した場合、受信した属性情報をデータ利用装置間の接続経路情報８４と共に記録し、接続経路情報に応じて初期乗数を増加する乗数８６を求め、求めた乗数を属性有効期限に応じた有効期間に乗算することにより残存有効期限を求め、残存有効期限が経過しているコンテンツの利用を禁止する。【選択図】  図１
2006119726.tif 000002
【特許請求の範囲】
【請求項１】
複数のデータ利用装置間でコンテンツデータが転送されて、前記各データ利用装置が供給された前記コンテンツデータの利用を有効期限によって制限するよう制御するデータ利用装置であって、
現在時間を測定する時間測定手段と、
前記複数のデータ利用装置のうち当該データ利用装置以外の第１のデータ利用装置からコンテンツデータが供給される前に、少なくとも、前記第１のデータ利用装置の属性を識別する属性識別情報と、前記属性識別情報の有効期限を示す属性有効期限情報と、属性間距離情報とから構成される属性情報が供給されたとき、この属性情報が供給されたときの前記時間測定手段で測定された属性情報取得時間情報と前記供給された属性情報とをそれぞれ記録する属性情報記録手段とを備え、
前記属性情報記録手段にそれぞれ記録された前記属性情報に含まれる属性有効期限情報及び属性間距離情報、並びに前記属性情報取得時間情報に基づき得られるデータ利用期間に限定して、前期第１のデータ利用装置から供給されるコンテンツデータを利用するように構成したデータ利用装置。
【請求項２】
請求項１に記載のデータ利用装置において、
前記属性間距離情報は、前記属性識別情報が互いに異なる属性情報を有した複数のデータ利用装置が直接又は間接的に相互接続されたときの接続頻度又は接続経路の種類に応じて決定されることを特徴とするデータ利用装置。
【請求項３】
請求項１に記載のデータ利用装置において、
前記属性情報は、当該データ利用装置が有する属性情報を記録する主属性情報と、当該データ利用装置以外の複数のデータ利用装置がそれぞれ有する属性情報を記録可能な従属属性情報とから構成され、
前記第１のデータ利用装置が当該データ利用装置に接続された場合に、前記第１のデータ利用装置が有する主属性情報を当該データ利用装置が有する属性情報の従属属性情報に記録するように構成したことを特徴とするデータ利用装置。
【請求項４】
請求項３に記載のデータ利用装置において、
前記第１のデータ利用装置が有する主属性情報に含まれる属性識別情報が、当該データ利用装置が有する主属性情報に含まれる属性識別情報と同一である場合に、
前記第１のデータ利用装置が有する従属属性情報に記録された属性情報を当該データ利用装置の従属属性情報に追加記録するとともに、
当該データ利用装置が有する従属属性情報に記録された属性情報を前記第１のデータ利用装置が有する前記従属属性情報に追加記録するように構成したことを特徴とするデータ利用装置。
【発明の詳細な説明】
【技術分野】
【０００１】
本発明は、データ利用装置間で転送されるコンテンツデータの利用を有効期限により制限するデータ利用装置に関する。
【背景技術】
【０００２】
現在、コンテンツの一例として音楽などが記録されたＣＤ（コンパクトディスク）のパッケージメディアからコンテンツをパーソナルコンピュータに複製したり、パーソナルコンピュータを介して他の再生装置に複製したり、ＣＤから直接、内部記憶装置を備えた再生装置に複製して音楽データなどを利用するという利用形態が普及している。一方、インターネットなどのネットワーク環境の普及に伴い、ネットワークを介したコンテンツデータの複製が容易になっているため、個人利用を目的とした複製と、ネットワークを介した不特定多数とのデータ交換など個人利用の範囲を逸脱した複製行為との区別をすることが困難になっている。
【０００３】
また特定の再生装置に限定してコンテンツデータを利用できるように暗号化を施したコンテンツデータを供給する情報サービスがあるが、複数の再生環境を持つユーザにおいても利用する端末が限られてしまうため利便性が低くなりがちである。そこで、不正な複製とならない範囲で複製を許可する方法としては、複製許可回数をコンテンツデータの記録装置に記憶させて所定の回数以上の複製を抑制する方法や、孫コピーを禁止するなど所定の世代以上の複製を抑制する方法や、複製後に複製元の記録装置からコンテンツデータを消去するなどの方法が行われていた。
【０００４】
また下記の特許文献１では、複製管理装置から複製許可情報を受信して複製を行う方法が提案されている。また下記の特許文献２では、共通秘密情報を保持するグループ管理機器が限定数の機器に対して共通秘密情報を送信することによってコンテンツ利用が許可されたグループを形成する方法が提案されている。
【特許文献１】特開２００４−１１０８１６号公報（要約書）
【特許文献２】特開２００４−１２０７３６号公報（要約書）
【発明の開示】
【発明が解決しようとする課題】
【０００５】
しかしながら、所定の回数や世代以上の複製を抑制する方法では、制限が個人利用の範囲と一致しているとは言えないという課題があり、また複製後に複製元の記録装置からコンテンツデータを消去する方法では複数の再生装置を利用する個人の利便性を損なうという課題があった。また特許文献１に記載の発明では、複製管理装置に接続することが必須となるため、複製管理装置に接続できる手段を備えた機器以外には適用が困難であった。また特許文献２に記載の発明では、限定数の機器に対してのみコンテンツ利用が許可されたグループに所属することを許可するため、この限定数が個人利用の範囲と必ずしも一致しているとは言えない。また共通秘密情報を機器間で連鎖的に転送した場合にも同様にコンテンツ利用ができるため、個人利用の範囲を逸脱した機器にも同様の許可が与えられる恐れがある。
【０００６】
本発明は上記従来例の問題点に鑑み、コンテンツの著作権を保護することができるとともに、利用者の負担が少ない方法で個人利用の範囲内においてコンテンツの複製を認めることができるデータ利用装置を提供することを目的とする。
【課題を解決するための手段】
【０００７】
本発明は上記目的を達成するために、
複数のデータ利用装置間でコンテンツデータが転送されて、前記各データ利用装置が供給された前記コンテンツデータの利用を有効期限によって制限するよう制御するデータ利用装置であって、
現在時間を測定する時間測定手段と、
前記複数のデータ利用装置のうち当該データ利用装置以外の第１のデータ利用装置からコンテンツデータが供給される前に、少なくとも、前記第１のデータ利用装置の属性を識別する属性識別情報と、前記属性識別情報の有効期限を示す属性有効期限情報と、属性間距離情報とから構成される属性情報が供給されたとき、この属性情報が供給されたときの前記時間測定手段で測定された属性情報取得時間情報と前記供給された属性情報とをそれぞれ記録する属性情報記録手段とを備え、
前記属性情報記録手段にそれぞれ記録された前記属性情報に含まれる属性有効期限情報及び属性間距離情報、並びに前記属性情報取得時間情報に基づき得られるデータ利用期間に限定して、前期第１のデータ利用装置から供給されるコンテンツデータを利用するように構成したものである。
【０００８】
また、前記属性間距離情報は、前記属性識別情報が互いに異なる属性情報を有した複数のデータ利用装置が直接又は間接的に相互接続されたときの接続頻度又は接続経路の種類に応じて決定されることは本発明の好ましい態様である。
【０００９】
さらにまた、前記属性情報は、当該データ利用装置が有する属性情報を記録する主属性情報と、当該データ利用装置以外の複数のデータ利用装置がそれぞれ有する属性情報を記録可能な従属属性情報とから構成され、
前記第１のデータ利用装置が当該データ利用装置に接続された場合に、前記第１のデータ利用装置が有する主属性情報を当該データ利用装置が有する属性情報の従属属性情報に記録するように構成したことは本発明の好ましい態様である。
【００１０】
さらにまた、前記第１のデータ利用装置が有する主属性情報に含まれる属性識別情報が、当該データ利用装置が有する主属性情報に含まれる属性識別情報と同一である場合に、
前記第１のデータ利用装置が有する従属属性情報に記録された属性情報を当該データ利用装置の従属属性情報に追加記録するとともに、
当該データ利用装置が有する従属属性情報に記録された属性情報を前記第１のデータ利用装置が有する前記従属属性情報に追加記録するように構成したことは本発明の好ましい態様である。
【００１１】
上記構成により、有効期限が設定された属性情報を特定の属性情報付与装置から他の装置に付与し、付与された装置はまた他の装置に連鎖的に属性情報の付与を繰り返し、同じ属性の装置群を形成する。ここですでに他の属性情報が付与されている装置に接続した場合は、属性情報を与える側の属性情報の残存有効期間よりも短い有効期限の従属属性として属性情報を与える。またある属性情報を付与された装置群に含まれる装置とある他の属性情報を付与された装置群に含まれる装置とがお互いに頻繁に接続を繰り返している場合に、接続頻度や接続経路の数に応じてそれぞれの接続で与え合う有効期限を長くする処置を施す。属性情報が無効となった装置は属性情報付与装置又は有効な属性情報を持つ装置に再度接続することで無効となった属性情報を再度有効にする。このようにして属性情報を付与された装置に限りコンテンツデータ利用が可能となる。
【発明の効果】
【００１２】
本発明によれば、実際に定期的に直接接続可能な物理的距離に存在することができるコンテンツ再生装置やコンテンツ記録装置に限定して同一の属性情報を付与することができるため、個人の利用する範囲にある装置を１つの属性として管理することができる。一方、他人のコンテンツ再生装置やコンテンツ記録装置に接続して属性情報の付与を行った場合は、定期的な接続がないため、属性情報の所定の有効期限を過ぎるとその装置に付与された属性情報は無効となり、それ以上のコンテンツ利用はできなくなる。また連鎖的に属性情報を付与した場合には属性有効期限が短くなるため、他人による利用が困難になるという効果を得ることができる。
またあらかじめ異なる属性が与えられた属性発行機能を持った複数の装置を所有する個人や個人に準ずるグループにおいては、たとえ複数の異なる属性情報が装置の混在する形で付与されていても、それぞれの属性に主に属する装置間での接続の頻度に応じて属性間の距離を定義し、属性間の距離が短ければ有効期限を長くすることで利用者の負担を少なくしながら同一属性の装置と同様にコンテンツの利用ができるようになる。
【発明を実施するための最良の形態】
【００１３】
以下、図面を参照して本発明の実施の形態について説明する。
＜第１の実施の形態＞
図１は本発明に係るデータ利用装置の第１の実施の形態を示すブロック図、図２は図１の属性情報の構成例を詳しく示す説明図である。
【００１４】
図１において、属性情報付与装置２は１つの属性情報３を有しており、暗号化コンテンツデータ作成装置１、暗号化コンテンツデータ利用装置６ａ、６ｂはまだ属性情報３を有していない初期状態であるとする。まず属性情報付与装置２は暗号化コンテンツデータ作成装置１に接続すると、暗号化コンテンツデータ作成装置１に属性情報３を付与する。ここで、属性情報３は図２に示す内容を有している。
【００１５】
図２において、属性情報３は主属性情報６０と従属属性情報６１と初期乗数６２とから成る。初期状態では主属性情報６０と初期乗数６２のみが有効な値を持つ。初期乗数６２は異なる属性情報３を有する他のデータ利用装置へ属性情報３が付与された場合の有効期限を指定する目的で使用される。
【００１６】
図３に本発明による主属性情報６０の構成例を詳しく示す。図３において、主属性情報６０は、暗号化コンテンツデータ利用装置６ａ、６ｂの属性を識別するための属性識別情報７０と、暗号化コンテンツデータ４を暗号化及び復号（「復号化」ともいう）する暗号鍵を算出するために必要な暗号情報（鍵生成情報）７１と、コンテンツデータの利用を有効期限により属性識別情報７０ごとに制限するための属性有効期限７２から成る。属性識別情報７０は属性を識別するユニークな値を持ち、暗号情報７１は属性識別情報７０に対してユニークな値を持ち、コンテンツデータの暗号化及び復号に必要な情報を持つ。属性有効期限７２は属性情報３の有効期限が切れる時刻を表す。
【００１７】
図４に本発明による従属属性情報６１の構成例を詳しく示す。図４において、従属属性情報６１は複数の従属属性情報８０、８１、８２で構成することができ、従属属性情報８０、８１、８２の各々は個別属性情報８３と、図５に詳しく示す接続経路情報８４と、属性間距離情報８５と、乗数８６とから成る。個別属性情報８３は図３に示す主属性情報６０と同様な内容（属性識別情報７０、暗号情報７１及び属性有効期限７２）である。属性間距離情報８５は接続経路情報８４で示される装置との接続数や、それぞれの接続に関する履歴情報の量や頻度や経路の多様さに応じて決定され、接続種類や回数が多く、接続頻度や接続経路が多様である場合（種類が多い場合）に、より大きい値になるように設定される。
【００１８】
乗数８６は属性間距離情報８５に応じて設定される値であり、同じ従属属性情報６１に属する個別属性情報８３に含まれる属性識別情報７０を含んだ属性情報３を持つ装置へ属性情報３が付与された場合の有効期限を指定する目的で使用される。乗数８６は具体的には、同じ従属属性情報６１に属する属性間距離情報８５と図２の初期乗数６２を掛けた値になる。
【００１９】
図５に本発明による接続経路情報８４の構成例を詳しく示す。図５において、接続経路情報８４は複数の接続経路情報を持つことができ、接続経路情報８４の各々は、ある共通の属性識別情報７０を含む属性情報３を有する装置群に含まれる装置の接続装置識別子９１、９２、９３と、ある他の共通の属性識別情報７０を含む属性情報３を有する装置群に含まれる装置の属性識別情報７０と両者が接続をした場合の接続履歴情報９４、９５、９６で示される。
【００２０】
図６に本発明による接続履歴情報９４、９５、９６の構成例を詳しく示す。図６において、接続履歴情報９４、９５、９６はそれぞれ複数の接続履歴情報を持つことができ、ある共通の属性識別情報７０を含む属性情報３を有する装置群に含まれる装置と、他のある共通の属性識別情報７０を含む属性情報３を有する装置群に含まれる装置が接続をした接続時刻情報１０１、１０２、１０３で示される。また接続履歴情報９４、９５、９６が更新される度に接続履歴に含まれる接続の時間間隔、接続回数から接続頻度を求め定量的な値に変換したものが接続頻度情報１０４として記録される。
【００２１】
なお、接続履歴情報９４、９５、９６、接続頻度情報１０４、接続経路情報８４、属性間距離情報８５、乗数８６、属性有効期限７２、暗号情報７１、属性識別情報７０、初期乗数６２、従属属性情報６１、主属性情報６０からなるデータ構造は、本発明を具現化する上での１つの例であり、それぞれの機能を満たす限りはこの例のデータ構造に限定するものではない。
【００２２】
図１に戻って、本発明によるデータ利用装置の第１の実施の形態を説明する。図１において、属性情報付与装置２は暗号化コンテンツデータ利用装置６ａに接続し属性情報３を付与する。暗号化コンテンツデータ利用装置６ａは付与された属性情報３を時間測定装置９ａが有する現在時刻情報と共に属性情報記録装置８ａに記録する。
【００２３】
次に暗号化コンテンツデータ作成装置１が暗号化コンテンツデータ利用装置６ａに接続し暗号化コンテンツデータ４を送信すると、暗号化コンテンツデータ利用装置６ａは暗号化コンテンツデータ作成装置１から送信された暗号化コンテンツデータ４をコンテンツデータ記録装置７ａに記録する。次に暗号化コンテンツデータ利用装置６ａが暗号化コンテンツデータ利用装置６ｂに接続し、属性情報記録装置８ａに記録された属性情報３を暗号化コンテンツデータ利用装置６ｂに送信すると、暗号化コンテンツデータ利用装置６ｂはこれを時間測定装置９ｂの現在時刻と共に属性情報記録装置８ｂに記録する。次に暗号化コンテンツデータ利用装置６ａがコンテンツデータ記録装置７ａに記録された暗号化コンテンツデータ４を暗号化コンテンツデータ利用装置６ｂに送信すると、暗号化コンテンツデータ利用装置６ｂはこれをコンテンツデータ記録装置７ｂに記録する。
【００２４】
こうして暗号化コンテンツデータ利用装置６ａ、６ｂは共通の属性情報３を共有し、この属性情報３内の暗号情報７１で暗号化された暗号化コンテンツデータ４を利用することができるが、利用期間については、属性情報３内の属性有効期限７２と現在時刻の差である有効期間に属性情報３内の初期乗数６２を乗算して残存有効期間を求め、この残存有効期間と現在時刻から求められる新しい有効期間まで利用することができる。
【００２５】
＜第２の実施の形態＞
次に、図７に本発明によるデータ利用装置の第２の実施の形態の構成を示す。図７において、属性情報付与装置２ａ、２ｂはそれぞれ１つの属性情報３ａ、３ｂを有しており、暗号化コンテンツデータ作成装置１ａ、１ｂ、暗号化コンテンツデータ利用装置６ａ、６ｂはまだ属性情報３ａ、３ｂを有していない初期状態であるとする。まず属性情報付与装置２ａは暗号化コンテンツデータ作成装置１ａに接続し属性情報３ａを付与する。属性情報３ａは図２〜図６に示す内容を有している。次に属性情報付与装置２ａは暗号化コンテンツデータ利用装置６ａに接続し属性情報３ａを付与する。次に暗号化コンテンツデータ利用装置６ａは付与された属性情報３ａを属性情報記録装置８ａに時間測定装置９ａが有する現在時刻情報と共に記録する。次に暗号化コンテンツデータ作成装置１ａは属性情報３ａに含まれる暗号情報７１で復号できるように暗号化された暗号化コンテンツデータ４ａを作成し、暗号化コンテンツデータ利用装置６ａに接続し暗号化コンテンツデータ４ａを送信する。次に暗号化コンテンツデータ利用装置６ａは送信された暗号化コンテンツデータ４ａをコンテンツデータ記録装置７ａに記録する。
【００２６】
次に属性情報付与装置２ｂは暗号化コンテンツデータ作成装置１ｂに接続し属性情報３ｂを付与する。属性情報３ｂは図２〜図６に示す内容を有している。次に属性情報付与装置２ｂは暗号化コンテンツデータ利用装置６ｂに接続し属性情報３ｂを付与する。次に暗号化コンテンツデータ利用装置６ｂは付与された属性情報３ｂを属性情報記録装置８ｂに時間測定装置９ｂが有する現在時刻情報と共に記録する。次に暗号化コンテンツデータ作成装置１ｂは属性情報３ｂに含まれる暗号情報７１で復号できるように暗号化された暗号化コンテンツデータ４ｂを作成し、暗号化コンテンツデータ利用装置６ｂに接続し暗号化コンテンツデータ４ｂを送信する。次に暗号化コンテンツデータ利用装置６ｂは送信された暗号化コンテンツデータ４ｂをコンテンツデータ記録装置７ｂに記録する。
【００２７】
こうして暗号化コンテンツデータ利用装置６ａ、６ｂはそれぞれ属性情報３ａ、３ｂを有し、この属性情報３ａ、３ｂ内の暗号情報７１で暗号化された暗号化コンテンツデータ４ａ、４ｂを利用することができるが、利用期間については、属性情報３ａ、３ｂ内の属性有効期限７２と現在時刻の差である有効期間に属性情報３ａ、３ｂ内の初期乗数６２を乗算して残存有効期間を求め、この残存有効期間と現在時刻から求められる新しい有効期間まで利用することができる。
【００２８】
次に暗号化コンテンツデータ利用装置６ａ、６ｂが互いに接続し、暗号化コンテンツデータ利用装置６ａの属性情報記録装置８ａに記録された属性情報３ａを暗号化コンテンツデータ利用装置６ｂに送信すると、送信された属性情報３ａは、暗号化コンテンツデータ利用装置６ｂの属性情報記録装置８ｂに記録された属性情報３ｂの従属属性情報６１として記録される。すなわち属性情報３ａの主属性情報６０が属性情報３ｂの個別属性情報８３として記録される。また属性情報３ｂの接続経路情報８４として、暗号化コンテンツデータ利用装置６ａの識別情報と暗号化コンテンツデータ利用装置６ｂの識別情報が図５の接続装置識別子９１〜９３のように記録され、また時間測定装置９ｂに保持された時間情報が図６の接続時刻情報１０１、１０２、１０３のように記録されて、属性情報３ｂの接続履歴情報９４、９５、９６が記録される。
【００２９】
なお、記録される接続履歴情報９４、９５、９６は、それぞれの履歴情報に関連づけられて、記録されている接続時刻情報１０１、１０２、１０３が所定の値よりも古い値から削除されていく。接続履歴情報９４、９５、９６が更新されると、これに従い接続頻度情報１０４が更新される。これに伴い同じ従属属性情報６１の属する属性間距離情報８５と乗数８６が更新される。そして、この乗数８６に属性情報３ａの属性有効期限７２に応じた有効期間を掛けて残存有効期限を求め、残存有効期限に応じた新しい有効期限が属性情報３ｂの従属属性情報６１の個別属性情報８３の属性有効期限７２として記録される。  
【００３０】
また同様に、属性情報記録装置８ｂに記録された属性情報３ｂを暗号化コンテンツデータ利用装置６ａに送信すると、送信された属性情報３ｂは、暗号化コンテンツデータ利用装置６ａの属性情報記録装置８ａに記録された属性情報３ａの従属属性情報６１として記録される。すなわち属性情報３ｂの主属性情報６０が属性情報３ａの個別属性情報８３として記録される。また属性情報３ａの接続経路情報８４に、暗号化コンテンツデータ利用装置６ａの識別情報と暗号化コンテンツデータ利用装置６ｂの識別情報が図５の接続装置識別子９１〜９３のように記録され、また時間測定装置９ａに保持された時間情報が図６の接続時刻情報１０１、１０２、１０３のように記録されて、属性情報３ａの接続履歴情報９４、９５、９６が記録される。接続履歴情報９４、９５、９６が更新されると、これに従い接続頻度情報１０４も更新され、これに伴い同じ従属属性情報６１の属する属性間距離情報８５と乗数８６が更新される。そして、この乗数８６に属性情報３ｂの属性有効期限７２に応じた有効期間を掛けて残存有効期限を求め、残存有効期限に応じた新しい有効期限が属性情報３ａの従属属性情報６１の個別属性情報８３の属性有効期限７２として記録される。  
【００３１】
次に暗号化コンテンツデータ利用装置６ａのコンテンツデータ記録装置７ａに記録された暗号化コンテンツデータ４ａを暗号化コンテンツデータ利用装置６ｂに送信して、暗号化コンテンツデータ利用装置６ｂのコンテンツデータ記録装置７ｂに記録し、また、暗号化コンテンツデータ利用装置６ｂのコンテンツデータ記録装置７ｂに記録された暗号化コンテンツデータ４ｂを暗号化コンテンツデータ利用装置６ａに送信して、暗号化コンテンツデータ利用装置６ａのコンテンツデータ記録装置７ａに記録する。
【００３２】
こうして暗号化コンテンツデータ利用装置６ａ、６ｂは、相手先の属性情報３ｂ、３ａを従属属性情報６１として有し、この属性情報３ｂ、３ａ内の暗号情報７１で暗号化された暗号化コンテンツデータ４ｂ、４ａを利用することができるが、利用期間については、再生するコンテンツデータ４ｂ、４ａと同一の属性識別情報を有した従属属性情報６１内の個別属性情報８３の属性有効期限７２まで利用することができる。
【００３３】
＜第３の実施の形態＞
図８は本発明によるデータ利用装置の第３の実施の形態の構成を示す。図８においてデータ利用装置５０、データ利用装置５１は同じ属性識別情報７０を含む属性情報３を有しており、データ利用装置５２、データ利用装置５３は同じ属性識別情報７０を含む属性情報３を有しており、データ利用装置５０とデータ利用装置５２は異なる属性識別情報７０を含む属性情報３を有している。
【００３４】
この状態でデータ利用装置５０とデータ利用装置５３が接続してお互いに属性情報３を送信すると、データ利用装置５３の主属性情報６０がデータ利用装置５０の従属属性情報６１として記録され、またデータ利用装置５０の主属性情報６０がデータ利用装置５３の従属属性情報６１として記録される。次にデータ利用装置５１とデータ利用装置５２が接続してお互いに属性情報３を送信すると、データ利用装置５２の主属性情報６０がデータ利用装置５１の従属属性情報６１として記録され、またデータ利用装置５１の主属性情報６０がデータ利用装置５２の従属属性情報６１として記録される。
【００３５】
次にデータ利用装置５０とデータ利用装置５１が接続してお互いに属性情報３を送信すると、データ利用装置５０の従属属性情報６１として記録されているデータ利用装置５３の主属性情報６０がデータ利用装置５１の従属属性情報６１として記録される。またデータ利用装置５１の従属属性情報６１として記録されているデータ利用装置５２の主属性情報６０がデータ利用装置５０の従属属性情報６１として記録される。
【００３６】
次にデータ利用装置５２とデータ利用装置５３が接続してお互いに属性情報３を送信すると、データ利用装置５２の従属属性情報６１として記録されているデータ利用装置５１の主属性情報６０がデータ利用装置５３の従属属性情報６１として記録される。またデータ利用装置５３の従属属性情報６１として記録されているデータ利用装置５０の主属性情報６０がデータ利用装置５２の従属属性情報６１として記録される。
【００３７】
以上詳述したように、本発明に係るデータ利用装置によれば、ネットワークを介した不特定多数とのデータ交換などが行われると、残存有効期間は複製ごとに短くなる一方であるので、個人利用の範囲を逸脱した複製行為を防止することができる。また、１人のユーザが所有する複数の装置間で頻繁に複製が行われると、残存有効期間が延びるので、個人利用を目的とした複製を認めることができる。
【図面の簡単な説明】
【００３８】
【図１】本発明に係るデータ利用装置の第１の実施の形態を示すブロック図である。
【図２】図１の属性情報の構成例を詳しく示す説明図である。
【図３】図２の主属性情報の構成例を詳しく示す説明図である。
【図４】図２の従属属性情報の構成例を詳しく示す説明図である。
【図５】図４の接続経路情報の構成例を詳しく示す説明図である。
【図６】図５の接続履歴情報の構成例を詳しく示す説明図である。
【図７】本発明に係るデータ利用装置の第２の実施の形態を示すブロック図である。
【図８】本発明に係るデータ利用装置の第３の実施の形態を示すブロック図である。
【符号の説明】
【００３９】
１、１ａ、１ｂ  暗号化コンテンツデータ作成装置
２、２ａ、２ｂ  属性情報付与装置
３、３ａ、３ｂ  属性情報
４、４ａ、４ｂ  暗号化コンテンツデータ
６ａ、６ｂ  暗号化コンテンツデータ利用装置
７ａ、７ｂ  コンテンツデータ記録装置
８ａ、８ｂ  属性情報記録装置
９ａ、９ｂ  時間測定装置
５０〜５３  データ利用装置
６０  主属性情報
６１、８０〜８２  従属属性情報
６２  初期乗数
７０  属性識別情報
７１  暗号情報
７２  属性有効期限
８３  個別属性情報
８４  接続経路情報
８５  属性間距離情報
８６  乗数
９１〜９３  接続装置識別子
９４〜９６  接続履歴情報
１０１〜１０３  接続時刻情報
１０４  接続頻度情報
【図１】
2006119726.tif 000003
【図２】
2006119726.tif 000004
【図３】
2006119726.tif 000005
【図４】
2006119726.tif 000006
【図５】
2006119726.tif 000007
【図６】
2006119726.tif 000008
【図７】
2006119726.tif 000009
【図８】
2006119726.tif 000010